(57)【要約】【課題】スロットから外部に漏れ出る騒音を低減する。【解決手段】ディスク装置２は、本体ケース３を備える。本体ケース３の前面には、ベゼル４が着脱自在に取り付けられている。ベゼル４は、スロット４ａが形成されたベゼル本体４０、ベゼル本体４０に着脱自在に取り付けた遮音シャッタ４１を備える。遮音シャッタ４１は、スロット４ａの全範囲を閉じて、ディスクＤ１の回転中に発生し、スロット４ａから漏れ出す騒音を低減する閉じ位置と、スロット４ａを開放する開き位置との間で回転する。本体ケース３に取り付けられた二重装填防止シャッタ３２は、本体スロット３ａを閉じる閉じ位置と開放する開き位置との間で回転する。二重装填防止シャッタ３２に取り付けられたディスク搬送ローラ３１によりディスクＤ１の搬入が行われた後、二重装填防止シャッタ３２が閉じ位置まで回転すると、これに連動して遮音シャッタ４１も閉じ位置まで回転する。【選択図】図１１
2012209002.tif 000002
【特許請求の範囲】
【請求項１】
スロットからディスクが搬入または搬出されるディスク装置の前面に着脱自在に取り付けられるベゼル本体と、
前記ベゼル本体に取り付けられ、前記ディスク装置内に設けられた駆動部材に連動して、前記スロットを閉鎖して前記スロットから漏れ出る前記ディスク回転中の騒音を低減する閉じ位置と、前記スロットを開く開き位置とに変位する遮音シャッタと、
を備えることを特徴とするベゼル。
【請求項２】
前記駆動部材は、前記ディスクに当接して前記ディスクを搬送する搬送位置と、前記搬送位置から退避した退避位置との間で変位可能なディスク搬送ローラであることを特徴とする請求項１記載のベゼル。
【請求項３】
前記駆動部材は、前記ディスク装置の本体ケースに設けられた本体スロットの一部を閉鎖して前記ディスクの挿入を阻止する閉じ位置と、前記本体スロットを開いて前記ディスクの挿入を許容する開き位置との間で変位可能な二重装填防止シャッタであることを特徴とする請求項１または２記載のベゼル。
【請求項４】
前記駆動部材は、前記ディスクが前記ディスク装置内へ搬入された直後に、前記遮音シャッタを前記閉じ位置へ変位させることを特徴とする請求項１ないし３いずれか１つ記載のベゼル。
【請求項５】
前記遮音シャッタが前記閉じ位置にあるときには前記遮音シャッタを前記閉じ位置に向けて付勢し、前記開き位置にあるときには前記開き位置に向けて付勢するトグルバネを備えることを特徴とする請求項１ないし４いずれか１つ記載のベゼル。
【請求項６】
スロットを通してディスクが搬入または搬出される本体ケースと、
前記本体ケースの前面に着脱自在に取り付けられたベゼル本体と、
前記ベゼル本体に取り付けられ、前記本体ケース内に設けられた駆動部材に連動して、前記スロットを閉鎖して前記スロットから漏れ出る騒音を低減する閉じ位置と、前記スロットを開く開き位置とに変位する遮音シャッタと、
を備えることを特徴とするディスク装置。
【発明の詳細な説明】
【技術分野】
【０００１】
本発明は、ディスクを挿入するスロットが形成されたベゼル及びディスク装置に関するものである。
【背景技術】
【０００２】
コンピュータやカーナビ装置などの各種の情報機器には、多量の情報をストアすることができるディスクが、記録媒体として用いられている。このディスクは、ディスク装置に装填され、情報の記録と再生とが行われる。一般に、情報機器に内蔵されているディスク装置には、ディスクを収納したトレイを出し入れするトレイタイプと、ベゼルに形成されたスロットを通してディスクを出し入れするスロットインタイプとがある。このスロットインタイプのディスク装置では、ディスクをベゼルのスロットに挿入すると、ディスク搬送機構が自動的に作動してディスクの搬入が行われる。
【０００３】
スロットインタイプのディスク装置は、トレイが不要であるから、小型かつ軽量であって、ノートパソコン等に広く用いられている。このディスク装置は、スピンドルモータによりディスクを高速回転させることで情報の記録／再生を行うものであるから、記録／再生中に別のディスクが差し込まれると、ディスクが破損したり、ディスク装置の内部機構が損傷を受けたりすることがある。
【０００４】
特許文献１記載のディスク装置では、スロットを開閉してディスクの二重装填を防止する二重装填防止シャッタを回転自在に取り付け、ディスクが搬送されていないときには、二重装填防止シャッタを開き位置に位置させ、スロットに挿入されたディスクがディスク搬送機構により記録／再生位置まで搬送されると、二重装填防止シャッタを閉じ位置に回転させる。
【先行技術文献】
【特許文献】
【０００５】
【特許文献１】特開２００６−０９９８７３号公報
【発明の概要】
【発明が解決しようとする課題】
【０００６】
ディスクの記録／再生時には、スピンドルモータの駆動音やディスクの風切り音等の騒音が発生する。特許文献１では、二重装填防止シャッタによりディスクの二重装填は防止されるが、二重装填防止シャッタとスロットとの間に隙間があり、上記した騒音がこの隙間を通してスロットから外部へ漏れ出ることになる。
【０００７】
本発明は、上記課題を解決するためになされたものであり、スロットを通して漏れ出る騒音を低減することができるベゼル及びディスク装置を提供することを目的とする。
【課題を解決するための手段】
【０００８】
上記目的を達成するために、本発明のベゼルは、スロットからディスクが搬入または搬出されるディスク装置の前面に着脱自在に取り付けられるベゼル本体と、前記ベゼル本体に取り付けられ、前記ディスク装置内に設けられた駆動部材に連動して、前記スロットを閉鎖して前記スロットから漏れ出る前記ディスク回転中の騒音を低減する閉じ位置と、前記スロットを開く開き位置とに変位する遮音シャッタと、を備えることを特徴とする。なお、前記変位としては、回転や移動が挙げられる。
【０００９】
また、前記駆動部材は、前記ディスクに当接して前記ディスクを搬送する搬送位置と、前記搬送位置から退避した退避位置との間で変位可能なディスク搬送ローラであることが好ましい。
【００１０】
さらに、前記駆動部材は、前記ディスク装置の本体ケースに設けられた本体スロットの一部を閉鎖して前記ディスクの挿入を阻止する閉じ位置と、前記本体スロットを開いて前記ディスクの挿入を許容する開き位置との間で変位可能な二重装填防止シャッタであることが好ましい。
【００１１】
また、前記駆動部材は、前記ディスクが前記ディスク装置内へ搬入された直後に、前記遮音シャッタを前記閉じ位置へ変位させることが好ましい。
【００１２】
さらに、前記遮音シャッタが前記閉じ位置にあるときには前記遮音シャッタを前記閉じ位置に向けて付勢し、前記開き位置にあるときには前記開き位置に向けて付勢するトグルバネを備えることが好ましい。
【００１３】
本発明のディスク装置は、スロットを通してディスクが搬入または搬出される本体ケースと、前記本体ケースの前面に着脱自在に取り付けられたベゼル本体と、前記ベゼル本体に取り付けられ、前記本体ケース内に設けられた駆動部材に連動して、前記スロットを閉鎖して前記スロットから漏れ出る騒音を低減する閉じ位置と、前記スロットを開く開き位置とに変位する遮音シャッタと、を備えることを特徴とする。
【発明の効果】
【００１４】
本発明では、遮音シャッタでスロットを閉鎖するので、ディスク回転中の騒音がスロットから外部へ漏れ出るのを防止することができる。また、遮音シャッタを、ディスク装置に設けられた駆動部材に連動して変位させるから、専用の駆動機構が不要となり、構造が簡単で安価に提供することができる。
【００１５】
また、ベゼルがディスク装置に着脱自在であるから、騒音が問題となるディスク装置にのみ適用することができるので、機種変更が容易となる。
【図面の簡単な説明】
【００１６】
【図１】ディスク装置の外観斜視図である。
【図２】下フレームの内部を示す斜視図である。
【図３】上フレームと二重装填防止シャッタとディスク搬送ローラとを示す斜視図である。
【図４】上フレームと二重装填防止シャッタとディスク搬送ローラとを示す分解斜視図である。
【図５】ベゼルと二重装填防止シャッタとディスク搬送ローラと遮音シャッタとを示す斜視図である。
【図６】ベゼルと二重装填防止シャッタとディスク搬送ローラとを示す分解斜視図である。
【図７】ディスクが挿入される前の本体ケース内を示す側面図である。
【図８】ディスクを搬送しているときの本体ケース内を示す側面図である。
【図９】ディスクをクランプしたときの本体ケース内を示す側面図である。
【図１０】遮音シャッタを閉じ位置に向けて回転させたときの本体ケース内を示す側面図である。
【図１１】遮音シャッタを閉じ位置に回転させたときの本体ケース内を示す側面図である。
【図１２】ディスクが挿入される前のディスク装置を示す下面図である。
【図１３】ディスクを搬送しているときのディスク装置を示す下面図である。
【図１４】ディスクを記録／再生位置に搬送したときのディスク装置を示す下面図である。
【図１５】ディスクをクランプしたときのディスク装置を示す下面図である。
【図１６】二重装填防止シャッタを省略したベゼルの実施形態を示す斜視図である。
【発明を実施するための最良の形態】
【００１７】
図１において、ディスク装置２は、本体ケース３を備える。この本体ケース３の前面には、ベゼル４がビス５により着脱自在に取り付けられている。このベゼル４には、直径１２ｃｍのディスクＤ１を挿入するスロット４ａが設けられている。ディスクＤ１は、クランプのための中心孔Ｄ１ａが形成されている。
【００１８】
本体ケース３は、下フレーム１１と、上フレーム１２とからなる。この下フレーム１１及び上フレーム１２の前面には、それぞれ切欠きが形成されている。これらの各切欠きにより、スロット４ａから挿入されたディスクＤ１を本体ケース３の内部へ挿入する本体スロット３ａ（図７参照）が形成される。
【００１９】
図２に示すように、下フレーム１１には、ドライブフレーム１３、制御回路基板１４が取り付けられている。また、下フレーム１１には、ディスク搬送機構１５の一部であるローディングモータ１６と、このローディングモータ１６の駆動軸に取り付けられたウォームギアや複数のギアから構成され、ローディングモータ１６の回転を伝達するギアトレイン１７が取り付けられている。制御回路基板１４には、ディスクＤ１がスロット４ａから挿入及び排出されたことを検知するディスク検知スイッチ１８が配置されている。
【００２０】
ドライブフレーム１３は、周知の緩衝支持構造により複数箇所で下フレーム１１に取り付けられている。ドライブフレーム１３には、開口１３ａが形成されている。
【００２１】
ドライブフレーム１３の先端には、ドライブユニット２０が取り付けられている。このドライブユニット２０は、スピンドルモータ２１、ターンテーブル２２、クランプヘッド２３を備えている。スピンドルモータ２１は、ドライブフレーム１３の背面に固定され、その駆動軸にターンテーブル２２が固定されている。クランプヘッド２３は、ターンテーブル２２と一体に形成されており、クランプ位置にあるディスクＤ１の中心孔Ｄ１ａ（図１参照）に入り込む。クランプヘッド２３には、ディスククランプのための磁石２４が取り付けられている。
【００２２】
また、ドライブフレーム１３にはヘッドユニット２６が取り付けられている。このヘッドユニット２６は、ドライブフレーム１３の開口１３ａから露出したキャリッジ２７と、このキャリッジ２７に保持されたピックアップヘッド２８とから構成されている。キャリッジ２７は、左右一対のガイドシャフト２９ａ，２９ｂに支持されている。このガイドシャフト２９ａ，２９ｂは、その両端がドライブフレーム１３の背面に固定されている。情報の記録／再生時には、キャリッジ２７が開口１３ａに沿って移動する。
【００２３】
図３〜図１１に示すように、上フレーム１２の前端部には、ゴム製のディスク搬送ローラ３１が配置されている。このディスク搬送ローラ３１は、本体スロット３ａの一部を閉じてディスクＤ１の二重装填を防止する二重装填防止シャッタ３２に取り付けられている。ディスク搬送ローラ３１は、上フレーム１２に取り付けられたディスクガイド３０との間でディスクＤ１を挟持し、回転によりディスクＤ１を搬送する。
【００２４】
二重装填防止シャッタ３２は、本体スロット３ａを閉じる本体部３２ａと、この本体部３２ａの左右に設けられた左腕部３２ｂ及び右腕部３２ｃとからなる。
【００２５】
二重装填防止シャッタ３２は、軸３３を中心にして回転可能に設けられ、本体部３２ａにより本体スロット３ａを閉じる閉じ位置（図１１参照）と、本体スロット３ａを開放する開き位置（図７参照）との間で回転する。また、二重装填防止シャッタ３２は、バネ３４により開き位置に向けて付勢されている。ディスク搬送ローラ３１は、二重装填防止シャッタ３２が開き位置にあるときにはディスクＤ１の記録／再生面に当接して搬送する搬送位置にあり、二重装填防止シャッタ３２が閉じ位置にあるときには搬送位置から退避した退避位置にある。
【００２６】
二重装填防止シャッタ３２には、ディスク搬送ローラ３１を回転可能に支持する軸受３６が設けられている。右腕部３２ｃには、ディスク搬送機構１５の一部である搬送ギア３７が取り付けられている。この搬送ギア３７は、ディスク搬送ローラ３１と一体化され、一緒に回転する。
【００２７】
ベゼル４は、スロット４ａが形成されたベゼル本体４０と、このベゼル本体４０に着脱自在に取り付けた遮音（騒音低減）シャッタ４１とを備えている。遮音シャッタ４１は、スロット４ａの全範囲を閉じて、ディスクＤ１の回転中に発生し、スロット４ａから漏れ出す騒音（例えば、スピンドルモータ２１の駆動音やディスクＤ１の風切り音等）を低減する。この遮音シャッタ４１は、スロット４ａを閉じる本体部４１ａと、この本体部４１ａの左右に設けられた左腕部４１ｂ及び右腕部４１ｃとからなる。各腕部４１ｂ，４１ｃには、左バネ掛け部４１ｄ、右バネ掛け部４１ｅが形成されている。左腕部４１ｂの内側面には、二重装填防止シャッタ３２に連動して回転するための第１連動ボス４１ｆ、第２連動ボス４１ｇが形成されている。二重装填防止シャッタ３２の本体部３２ａは、第１，第２連動ボス４１ｆ，４１ｇの間に通されている。
【００２８】
遮音シャッタ４１は、各腕部４１ｂ，４１ｃが、ベゼル本体４０に設けられた軸４３，４４を中心にして回転可能にベゼル本体４０に取り付けられ、本体部４１ａによりスロット４ａを閉じる閉じ位置（図１１参照）と、スロット４ａを開放する開き位置（図７参照）との間で回転する。第１，第２連動ボス４１ｆ，４１ｇの隙間は、本体部３２ａの厚みよりも広く、遮音シャッタ４１が開き位置にあるときには、第１連動ボス４１ｆと本体部３２ａとの間に隙間があり、遮音シャッタ４１が閉じ位置にあるときには、第２連動ボス４１ｇと本体部３２ａとの間には隙間がある。
【００２９】
ベゼル本体４０の左右の内側面には、それぞれバネ掛け部４０ａが形成されている。各バネ掛け部４０ａには、左トグルバネ４５及び右トグルバネ４６の一端が掛けられ、これら左右トグルバネ４５，４６の他端は、左右バネ掛け部４１ｄ，４１ｅに掛けられている。遮音シャッタ４１は、閉じ位置に位置するときには、各トグルバネ４５，４６により閉じ位置に向けて付勢され、開き位置に位置するときには、各トグルバネ４５，４６により開き位置に向けて付勢されている。また、ベゼル本体４０の内側面には、閉じ位置に回転された遮音シャッタ４１が当接するゴム４７が貼り付けられている。なお、符号４０ｂは、ビス５が挿通される挿通孔が形成され、ベゼル本体４０を上フレーム１２に取り付けるための取付ボスである。ビス５は、この取付ボス４０ｂの挿通孔を通して上フレーム１２のビス締め孔１２ａにビス締めされている。
【００３０】
上フレーム１２の中心部よりも前方には、ディスクＤ１の挿入を検知する左右一対の左ディスク検知アーム５１、右ディスク検知アーム５２が配置されている。これら各ディスク検知アーム５１，５２は、下方に突出したディスク検知部５１ａ，５２ａでディスクＤ１を検知し、軸５３，５４を中心にして揺動する。二重装填防止シャッタ３２が閉じ位置にあるときには、ディスク検知部５１ａ，５２ａは、本体部３２ａの左右それぞれに形成された挿通孔３２ｄに挿通される。
【００３１】
図１２〜図１５に示すように、各ディスク検知アーム５１，５２には、ギア５１ｂ，５２ｂが形成されている。各ディスク検知アーム５１，５２の間には、左連結ギア５５、右連結ギア５６が配置されている。各連結ギア５５，５６には、ギア５１ｂ，５２ｂに噛合する第１ギア５５ａ，５６ａと、互いに噛合する第２ギア５５ｂ，５６ｂとが形成され、軸５７，５８を中心にして揺動する。左連結ギア５５は、バネ５９（図３参照）により図１２において反時計方向に付勢され、右連結ギア５６は、バネ６０（図３参照）により時計方向に付勢されている。なお、図１２〜図１５は、上フレーム１２を下側から見た平面図である。
【００３２】
右ディスク検知アーム５２は、制御回路基板１４に設けられたディスク検知スイッチ１８を押すスイッチ押圧レバー（図示せず）に連結されている。
【００３３】
上フレーム１２の中心部よりも後方には、ディスクＤ１を支持する左右一対の左ディスク支持アーム６１、右ディスク支持アーム６２が配置されている。これら各ディスク支持アーム６１，６２は、下方に突出したディスク支持部６１ａ，６２ａでディスクＤ１の前端部を支持し、軸６３，６４を中心にして揺動する。
【００３４】
各ディスク支持アーム６１，６２には、互いに噛合するギア６１ｂ，６２ｂが形成されている。左ディスク支持アーム６１は、バネ６５により図１２において時計方向に付勢され、各ギア６１ｂ，６２ｂの噛合により、右ディスク支持アーム６２は反時計方向に付勢されている。
【００３５】
右ディスク支持アーム６２には、リンクアーム６７が回転可能に取り付けられている。このリンクアーム６７は、一端に形成されたディスク当接部６７ａにディスクＤ１の前端部が当接し、ディスクＤ１の押圧により、軸６８を中心に揺動する。リンクアーム６７の他端に形成された押圧部６７ｂは、前後方向に移動可能なスライドレバー７１を押圧して前方に移動させる。スライドレバー７１には、押圧部６７ｂにより押圧される押圧突起７１ａが形成されている。
【００３６】
スライドレバー７１の前方には、ラックギア７２ａが形成されたリンクレバー７２が配されている。このリンクレバー７２は、バネ（図示せず）により後方に付勢されている。
【００３７】
リンクレバー７２の下方には、二重装填防止シャッタ３２を閉じ位置まで回転させるシャッタレバー７３が配置されている。このシャッタレバー７３には、二重装填防止シャッタ３２に設けられた軸受３６に当接して二重装填防止シャッタ３２を回転させるシャッタ当接部７３ａと、ラックギア７３ｂとが形成されている。シャッタレバー７３は、リンクレバー７２に形成された押圧部７２ｂにより押圧される。また、シャッタレバー７３には、カムレバー７４が連結されている。このカムレバー７４は、バネ７５により後方に向けて付勢されている。
【００３８】
上フレーム１２の右端部（図１２における左端部）には、ディスク搬送機構１５の一部であるギアトレイン８０が配置されている。このギアトレイン８０は、それぞれ２段ギアの第１ギア８１〜第４ギア８４からなり、第１ギア８１は下フレーム１１に設けられたギアトレイン１７に噛合し、第４ギア８４は、二重装填防止シャッタ３２が開き位置にあるときに、搬送ギア３７に噛合する。第２ギア８２は、リンクレバー７２及びシャッタレバー７３が前方に移動したときに、ラックギア７２ａ，７３ｂに噛合する。
【００３９】
上フレーム１２の中心部には、クランパ９０が配置されている。このクランパ９０には、鉄板が取り付けられている。クランパ９０の左右には、クランパ９０を保持する保持位置（図１２参照）と、保持を解除する保持解除位置（図１５参照）との間で回転する左右一対の左保持アーム９１、右保持アーム９２が配置されている。
【００４０】
各保持アーム９１，９２の後方には、各保持アーム９１，９２を回転させる左右一対の左スライドレバー９３、右スライドレバー９４が配置されている。各スライドレバー９３，９４は、バネ（図示せず）により内側方向に付勢されている。
【００４１】
各スライドレバー９３，９４の内側端部には、ラックギア９３ａ，９４ａが形成されている。このラックギア９３ａは左連結ギア９５に噛合し、ラックギア９４ａは右連結ギア９６に噛合している。これら各連結ギア９５，９６は、上フレーム１２に回転可能に取り付けられ、互いに噛合している。各スライドレバー９３，９４には、各ディスク支持アーム６１，６２を押圧して回転させる押圧部９３ｂ，９４ｂが形成されている。
【００４２】
右スライドレバー９４の一端に形成されたカム突起９４ｃは、カムレバー７４に形成されたカム溝７４ａに挿入されている。右スライドレバー９４は、カム突起９４ｃがカム溝７４ａに沿って移動することによって移動する。
【００４３】
次に上記実施形態の作用について説明する。ディスクＤ１の挿入前には、図７に示すように、二重装填防止シャッタ３２及び遮音シャッタ４１は、各スロット３ａ，４ａを開放する開き位置にセットされ、ディスクＤ１の挿入を可能にしている。
【００４４】
図８及び図１３に示すように、ディスクＤ１がベゼル４のスロット４ａから挿入されると、ディスクＤ１が左右ディスク検知アーム５１，５２の各ディスク検知部５１ａ，５２ａに当接し、ディスクＤ１の押込みに応じて、左ディスク検知アーム５１は、軸５３を中心にして図１３において反時計方向に回転し、右ディスク検知アーム５２は、軸５４を中心にして図１３において時計方向に回転する。
【００４５】
右ディスク検知アーム５２が回転されると、スイッチ押圧レバーによりディスク検知スイッチ１８がＯＮされる。このディスク検知スイッチ１８のＯＮ信号に基づいて、ローディングモータ１６が回転する。このローディングモータ１６の回転は、ギアトレイン１７、ギアトレイン８０を介して搬送ギア３７に伝達され、二重装填防止シャッタ３２のディスク搬送ローラ３１が図８において時計方向に回転する。
【００４６】
ディスクＤ１が挿入されると、二重装填防止シャッタ３２は図８において時計方向に回転され、ディスクＤ１はディスクガイド３０とディスク搬送ローラ３１との間で挟持される。そして、ディスク搬送ローラ３１の回転により、ディスクＤ１は本体ケース３内に搬入される。この状態でも、本体部３２ａと第１連動ボス４１ｆとの間には隙間があるから、ディスクＤ１よりも厚いディスクが挿入され、二重装填防止シャッタ３２が図８に示す位置から更に回転された場合でも、本体部３２ａが第１連動ボス４１ｆに当接することがない。
【００４７】
ディスクＤ１が搬入されると、図１４に示すように、ディスクＤ１の後端部が左右ディスク支持アーム６１，６２のディスク支持部６１ａ，６２ａに当接し、左ディスク支持アーム６１は、軸６３を中心にして図１４において反時計方向に回転し、右ディスク支持アーム６２は、軸６４を中心にして図１４において時計方向に回転する。
【００４８】
ディスクＤ１の更なる搬入により、ディスクＤ１の後端部がリンクアーム６７のディスク当接部６７ａに当接し、リンクアーム６７は、軸６８を中心にして図１４において反時計方向に回転する。
【００４９】
ディスクＤ１が図１４に示す記録／再生位置まで搬入されると、リンクアーム６７の押圧部６７ｂは、スライドレバー７１を押圧して前方に移動させる。スライドレバー７１が前方に移動すると、スライドレバー７１に押圧されてリンクレバー７２が前方に移動し、リンクレバー７２のラックギア７２ａが、ギアトレイン８０の第２ギア８２に噛合する。
【００５０】
ラックギア７２ａが第２ギア８２に噛合すると、ローディングモータ１６の回転がリンクレバー７２に伝達され、リンクレバー７２は前方に移動する。リンクレバー７２が前方に移動すると、シャッタレバー７３は、リンクレバー７２の押圧部７２ｂにより押圧されて前方に移動し、ラックギア７３ｂが第２ギア８２に噛合する。これにより、ローディングモータ１６の回転によりシャッタレバー７３が前方に移動する。
【００５１】
図１５に示すように、シャッタレバー７３が前方に移動すると、シャッタレバー７３に連結されたカムレバー７４も前方に移動する。右スライドレバー９４は、カム突起９４ｃがカム溝７４ａに嵌合されているから、カム溝７４ａに沿って外側に移動する。
【００５２】
右スライドレバー９４が外側に移動すると、右スライドレバー９４のラックギア９４ａにより右連結ギア９６が回転され、この回転が、左連結ギア９５を介して左スライドレバー９３のラックギア９３ａに伝達され、左スライドレバー９３も外側に移動する。この各スライドレバー９３，９４の移動により、左右保持アーム９１，９２が、保持解除位置まで回転し、クランパ９０の保持が解除される。
【００５３】
クランパ９０には、鉄板が取り付けられているから、保持が解除されると、クランプヘッド２３に設けられた磁石２４により引き寄せられる。これにより、クランプヘッド２３がディスクＤ１の中心孔Ｄ１ａに入り込み、クランプヘッド２３とクランパ９０との間でディスクＤ１がクランプされる（図９参照）。
【００５４】
また、クランパ９０の保持を解除するのと同時に、各スライドレバー９３，９４の押圧部９３ｂ，９４ｂにより左右ディスク支持アーム６１，６２を押圧して、左右ディスク支持アーム６１，６２をディスクＤ１から離れる方向に回転させる。この回転により、リンクアーム６７もディスクＤ１から離れる。これにより、ディスククランプ時には、ディスクＤ１はフリーな状態となっている。
【００５５】
さらに、クランパ９０の保持を解除するのと同時に、図９に示すように、シャッタレバー７３のシャッタ当接部７３ａが、二重装填防止シャッタ３２に設けられた軸受３６に当接してこれを押圧し、二重装填防止シャッタ３２を図９において時計方向に回転させる。
【００５６】
二重装填防止シャッタ３２が回転されると、ディスク搬送ローラ３１がディスクＤ１から離れた後、本体部３２ａが遮音シャッタ４１の第１連動ボス４１ｆに当接する。この状態から更に二重装填防止シャッタ３２が回転されると、図１０に示すように、本体部３２ａが遮音シャッタ４１の第１連動ボス４１ｆを押圧し、遮音シャッタ４１が図１０において時計方向に回転される。
【００５７】
図１１に示すように、二重装填防止シャッタ３２が閉じ位置まで回転されると、これに連動して遮音シャッタ４１も閉じ位置まで回転されてゴム４７に密着し、スロット４ａの全範囲が閉じられる。遮音シャッタ４１は、閉じ位置に位置するときには、左右トグルバネ４５，４６により閉じ位置に向けて付勢される。
【００５８】
ディスクＤ１が本体ケース３内に装填されているときには、二重装填防止シャッタ３２が閉じ位置に回転されるから、別のディスクが誤って装填されるのが防止される（例え、遮音シャッタ４１をこじ開けて別のディスクを装填しようとしても、二重装填防止シャッタ３２により阻止される）。
【００５９】
ディスクＤ１のクランプと、各シャッタ３２，４１によるスロット３ａ，４ａの閉鎖が行われると、ローディングモータ１６が停止され、スピンドルモータ２１が回転する。スピンドルモータ２１が回転すると、ターンテーブル２２、クランプヘッド２３及びクランパ９０によって、ディスクＤ１が高速回転する。このディスクＤ１の高速回転中に、ピックアップヘッド２８がディスクＤ１の半径方向に移動して、情報の記録又は再生が行われる。このディスクＤ１の回転中に騒音が発生するが、遮音シャッタ４１で低減され、スロット４ａから漏れ出るのが防止される。
【００６０】
また、ディスク搬送ローラ３１によりディスクＤ１が記録／再生位置に搬入されて、ディスク搬送ローラ３１がディスクＤ１から離れた後に、本体部３２ａが第１連動ボス４１ｆに当接して遮音シャッタ４１の回転が開始される。これにより、ディスクＤ１の搬入時には、ディスク搬送ローラ３１に、遮音シャッタ４１を回転させるための負荷がかかることがないから、ディスクＤ１の搬入が確実に行われる。
【００６１】
本体ケース３内に装填されたディスクＤ１を搬出する場合は、情報機器からの指令がディスク装置２に送られる。ディスク装置２の制御回路基板１４に設けられた制御回路（図示せず）は、まずスピンドルモータ２１を停止させ、次にローディングモータ１６を逆転させる。このローディングモータ１６の逆転により、シャッタレバー７３が後方に移動する。このシャッタレバー７３の移動により、二重装填防止シャッタ３２がバネ３４の付勢により図１１において反時計方向に回転する。
【００６２】
二重装填防止シャッタ３２が回転すると、本体部３２ａが遮音シャッタ４１の第２連動ボス４１ｇを押圧し、遮音シャッタ４１が図１１において反時計方向に回転される。そして、二重装填防止シャッタ３２が図７に示す開き位置まで回転されると、これに連動して遮音シャッタ４１も開き位置まで回転され、スロット３ａ，４ａが開放される。さらに、搬送ギア３７が第４ギア８４に噛合し、ディスク搬送ローラ３１が回転（逆転）する。遮音シャッタ４１は、開き位置に位置するときには、左右トグルバネ４５，４６により開き位置に向けて付勢される。
【００６３】
また、シャッタレバー７３の後方への移動が開始されると、カムレバー７４も後方に移動する。右スライドレバー９４は、カム突起９４ｃがカム溝７４ａに嵌合されているから、右スライドレバー９４はカム溝７４ａに沿って内側に移動し、左スライドレバー９３も内側に移動する。この各スライドレバー９３，９４の移動により、左右保持アーム９１，９２が、保持位置まで回転し、クランパ９０が保持され、クランパ９０によるディスクＤ１のクランプが解除される。
【００６４】
ディスクＤ１は、クランプが解除された後、ディスク搬送ローラ３１の回転により図１２に示すイジェクト位置まで搬出される。ディスクＤ１がイジェクト位置まで搬出されると、ディスク検知スイッチ１８がＯＦＦされ、ディスク検知スイッチ１８からのＯＮ信号の出力が停止される。このＯＮ信号の出力停止に基づいて、ローディングモータ１６の回転が停止される。
【００６５】
なお、上記実施形態では、二重装填防止シャッタ３２にディスク搬送ローラ３１を取り付けているが、二重装填防止シャッタを省略し、図１６に示すように、左ローラ支持板１０１と右ローラ支持板１０２との間にディスク搬送ローラ３１を回転可能に取り付けてもよい。この場合、左ローラ支持板１０１に、遮音シャッタ４１の第１連動ボス４１ｆと第２連動ボス４１ｇとの間に挿入される挿入リブ１０１ａを形成する。この実施例では、遮音シャッタ４１が漏音防止と、ディスクＤ１の二重装填防止の両機能を達成する。
【００６６】
なお、二重装填防止シャッタからディスク搬送ローラを省略してもよい。この場合は、遮音シャッタは二重装填防止シャッタに連動して回転することになる。また、遮音シャッタを回転させる専用の駆動機構を設けてもよい。
【００６７】
さらに、遮音シャッタに、二重装填防止シャッタに連動させるための孔を形成し、この連動用の孔に、二重装填防止シャッタに形成した突起を挿入してもよい。また、遮音シャッタを二重装填防止シャッタに固定してもよい。
【００６８】
ディスク回転による騒音が目立たない環境下でディスク装置が使用されることがある。このようなディスク装置では、遮音シャッタは不要であるから、遮音シャッタを取り付けていないベゼルを本体ケースに取り付ける。こうすると、遮音機能付ディスク装置と、遮音機能なしディスク装置の二機種を簡単に作ることができるので、機種変更が容易となる。遮音シャッタを取り付けない場合であっても、二重装填防止シャッタがディスクの二重装填を防止する機構として機能する。
【００６９】
また、上記実施形態では、直径１２ｃｍのディスクＤ１専用のディスク装置に本発明を実施したが、直径８ｃｍのディスク専用のディスク装置に実施してもよく、さらには、８ｃｍディスクと１２ｃｍディスクとの兼用にしてもよい。
【符号の説明】
【００７０】
２  ディスク装置
３  本体ケース
３ａ  本体スロット
４  ベゼル
４ａ  スロット
３１  ディスク搬送ローラ
３２  二重装填防止シャッタ
３２ａ  本体部３２ａ
４０  ベゼル本体
４１  遮音シャッタ
４１ｆ  第１連動ボス
４１ｇ  第２連動ボス
４５，４６  左右トグルバネ
【図１】
2012209002.tif 000003
【図２】
2012209002.tif 000004
【図３】
2012209002.tif 000005
【図４】
2012209002.tif 000006
【図５】
2012209002.tif 000007
【図６】
2012209002.tif 000008
【図７】
2012209002.tif 000009
【図８】
2012209002.tif 000010
【図９】
2012209002.tif 000011
【図１０】
2012209002.tif 000012
【図１１】
2012209002.tif 000013
【図１２】
2012209002.tif 000014
【図１３】
2012209002.tif 000015
【図１４】
2012209002.tif 000016
【図１５】
2012209002.tif 000017
【図１６】
2012209002.tif 000018